(57)【要約】                                                                【構成】  基本模型を分割して形成した複数の模型構成部材と、切り欠き部を有する補助模型部材とを備え、この切り欠き部の形状を前記模型構成部材の形状に略同一とするとともこの切り欠き部に前記模型構成部材を係合可能とした鋳型用模型装置である。【効果】  補助模型部材の大きさを変化させることによって形態は略同じで寸法の異なる模型を製作することができる。形態は略同じで寸法の異なる模型を製作するにあたって、従来のように、各製品毎に別々に独立した模型を製作する必要はないので、模型製作に手間がかからないとともに製作コストひいては鋳造コストの高額化を防止でき、この結果、形態は略同じで寸法の異なる各製品についての鋳造作業の作業能率を向上させることができる。【選択図】  図１  
2005040855.tif 000002
【特許請求の範囲】
【請求項１】
基本模型を分割して形成した複数の模型構成部材と、切り欠き部を有する補助模型部材とを備え、この切り欠き部に前記模型構成部材を係合可能としたことを特徴とする鋳型用模型装置。
【発明の詳細な説明】
【技術分野】
【０００１】
この発明は鋳型用模型装置に関し、基本模型に対して拡大した鋳型用模型を製作する際に使用される。
【背景技術】
【０００２】
形態が略同じで縦横の寸法の異なる製品を鋳造する場合がある。このような場合、各々の大きさに応じた鋳型が必要であるため、従来、各鋳型に応じて模型を製作し、この模型に従って鋳型を製作していた。
【０００３】
【特許文献１】特開平９−２４８６５２号公報
【特許文献２】特許第２９７７１７４号公報
【発明の開示】
【発明が解決しようとする課題】
【０００４】
しかしながら、このように、模型を製作するにあたって、各製品毎に独立した模型を別々に製作していたのでは、手間がかかるとともに製作コストひいては鋳造コストがアップする。この結果、形態は略同じで寸法の異なる各製品の鋳造作業の作業能率が悪くなる。
【０００５】
この発明の課題は前記不都合を解消することである。
【課題を解決するための手段】
【０００６】
この課題を達成するために、この発明に係る鋳型用模型装置においては、基本模型を分割して形成した複数の模型構成部材と、切り欠き部を有する補助模型部材とを備え、この切り欠き部に前記模型構成部材を係合可能としたため、前記補助模型部材の大きさを変化させることによって形態は略同じで寸法の異なる模型を製作することができる。
【発明の効果】
【０００７】
この鋳型用模型装置を使用すれば、形態は略同じで寸法の異なる模型を製作するにあたって、従来のように、各製品毎に別々に独立した模型を製作する必要はないので、模型製作に手間がかからないとともに製作コストひいては鋳造コストの高額化を防止でき、この結果、形態は略同じで寸法の異なる各製品についての鋳造作業の作業能率を向上させることができる。
【発明を実施するための最良の形態】
【０００８】
本発明は、一つの模型で寸法の異なる複数の模型を製作することができることに最も主要な特徴を有する。盤状模型に適用しやすいものである。
【実施例１】
【０００９】
図１はこの発明に係る鋳型用模型装置の正面図、図２は同背面図、図３は図１におけるIII-III 線断面図、図４は補助模型部材の斜視図、図５は基本模型の背面図、図６は基本模型を分割した状態の説明図である。
【００１０】
図１〜図４において、Ｍは鋳型用模型装置、10はこの鋳型用模型装置Ｍにおける補助模型部材である。この補助模型部材10は、図４に示すように、長方形（正方形）の中心部11とこの中心部11から放射状に延びている上突片12と下突片13と右突片14と左突片15とから構成され、所謂、十字状の形状をしている。
【００１１】
21は左上切り欠き部であり、前記上突片12と前記左突片15との間に形成されている。22は左下切り欠き部であり、前記左突片15と前記下突片13との間に形成されている。23は右上切り欠き部であり、前記上突片12と前記右突片14との間に形成されている。24は右下切り欠き部であり、前記右突片14と前記下突片13との間に形成されている。これらの各切り欠き部21,22,23,24 はこの発明の「切り欠き部」に相当し、直角形状を有するとともに前記補助模型部材10の四隅に形成されている。
【００１２】
なお、これらの切り欠き部21,22,23,24 の形状は後記模型構成部材31,32,33,34 の形状と略同一（合同）であり、且つ、前記補助模型部材10の縦中心線101 および横中心線102 に対して線対称に配置している。
【００１３】
25は周縁補助リブ、26は内側補助リブであり、前記補助模型部材10における前記上突片12，下突片13，右突片14および左突片15の裏面において幅方向に突設されている。また、図２において、27,27,…は環状補助形態であり、前記補助模型部材10における前記上突片12，下突片13，右突片14および左突片15の表面において幅方向に突設されている。この周縁補助リブ25，内側補助リブ26および前記環状補助形態27,27,…の機能は後記する。
【００１４】
次に、31は左上模型構成部材であり、前記左上切り欠き部21にその分割片311 を接触させた状態に着脱可能に係合されている。32は左下模型構成部材であり、前記左下切り欠き部22にその分割片321 を接触させた状態に着脱可能に係合されている。33は右上模型構成部材であり、前記右上切り欠き部23にその分割片331 を接触させた状態に着脱可能に係合されている。そして、34は右下模型構成部材であり、前記右下切り欠き部24にその分割片341 を接触させた状態に着脱可能に係合されている。なお、前記模型構成部材31,32,,33,34は前記切り欠き部21,22,23,24 への係合状態は、従来より存在する固定手段（ボルト・ナット手段，掛け止め手段等）によって固定することもできる。
【００１５】
これらの左上模型構成部材31, 左下模型構成部材32, 右上模型構成部材33および右下模型構成部材34はこの発明の「模型構成部材」に相当し、図５に示す長方形状のマンホール蓋を鋳造するための盤状模型（この発明の「基本模型」に相当する）50を、その縦中心線501 および横中心線502 に沿って、図６に示すように、四分割することによって形成されたものである。この盤状模型50において、51は周縁リブ、52は内側リブであり、その裏面に突設されている。この周縁リブ51は受枠（図示せず）との高さをそろえる際に補助する効果を奏し、内側リブ52は撓み防止の補強のための効果を奏するとともに大きさを変える事で強度向上につながる効果を奏する。更に、補助模型部材の板厚を変えることで強度向上のための効果を奏する。
【００１６】
このように構成される各模型構成部材31,32,33,34 が相応する切り欠き部21,22,23,24 に係合した際に、この切り欠き部21,22,23,24 の形状が前記模型構成部材31,32,33,34 の形状と同一（合同）であり、その分割片311,321,331,341 が前記切り欠き部21,22,23,24 に接触しているため、この鋳型用模型装置Ｍは、その周辺四隅部を、基本となる前記盤状模型50と同様に構成することができる。そして、これらの模型構成部材31,32,33,34 の間を構成する前記補助模型部材10における上突片12，下突片13，右突片14および左突片15の前記周縁リブ51に連なる位置に前記周縁補助リブ25が、前記内側リブ52に連なる位置に前記内側補助リブ26が形成されているため、図１に示すように、この鋳型用模型装置Ｍも、基本となる前記盤状模型50と同様に周縁補助リブおよび内側リブを備えることができる。
【００１７】
なお、図２に示すように、この模型装置Ｍの表面においても、前記補助模型部材10における上突片12，下突片13，右突片14および左突片15の、前記盤上模型50における環状形態53に連なる位置に前記環状補助形態27が形成されているため、図３に示すように、この鋳型用模型装置Ｍも、基本となる前記盤状模型50と同様に環状形態を備えることができる。
【００１８】
なお、前記盤状模型50の横辺の長さＡに対する前記補助模型部材10における上突片12および下突片13の幅ａの割合ａ／Ａと前記盤状模型50の縦辺の長さＢに対する前記補助模型部材10における右突辺14および左突片15の幅ｂの割合ｂ／Ｂとを同じにすれば、構成される鋳型用模型装置Ｍは基となる盤状模型50の拡大形状となり、その用途は拡大する（図２及び図５を参照のこと）。
【産業上の利用可能性】
【００１９】
マンホール蓋等の形態は略同じで寸法の異なる模型を製作する際に利用でき、ひいては、鋳造作業における鋳型の製造に利用できるものである。
【図面の簡単な説明】
【００２０】
【図１】この発明に係る鋳型用模型装置の正面図である。
【図２】同背面図である。
【図３】図１におけるIII-III 線断面図である。
【図４】補助模型部材の斜視図である。
【図５】基本模型の背面図である。
【図６】基本模型を分割した状態の説明図である。
【符号の説明】
【００２１】
Ｍ  …  鋳型用模型装置
１０  …  補助模型部材
２１  …  左上切り欠き部
２２  …  左下切り欠き部
２３  …  右上切り欠き部
２４  …  右下切り欠き部
３１  …  左上模型構成部材（模型構成部材）
３２  …  左下模型構成部材（模型構成部材）
３３  …  右上模型構成部材（模型構成部材）
３４  …  右下模型構成部材（模型構成部材）
５０  …  盤状模型（基本模型）
【図１】
2005040855.tif 000003
【図２】
2005040855.tif 000004
【図３】
2005040855.tif 000005
【図４】
2005040855.tif 000006
【図５】
2005040855.tif 000007
【図６】
2005040855.tif 000008